(57)【要約】【課題】室外熱交換器のメンテナンスの要否を適切なタイミングで報知する空気調和機の室外機等を提供する。【解決手段】空気調和機の室外機は、圧縮機と、圧縮機の駆動によって冷媒が通流する室外熱交換器と、室外ファンモータを有し、室外熱交換器の付近に設置される室外ファンと、圧縮機を停止させた状態で室外ファンを駆動して室外熱交換器に外気を送り込む室外送風運転中の通風抵抗に基づいて、室外熱交換器のメンテナンスの要否を報知する制御部と、を備える。これによって、室外熱交換器のメンテナンスの要否を適切なタイミングで報知できる。【選択図】図６
2018128156.tif 000002
【特許請求の範囲】
【請求項１】
圧縮機と、
前記圧縮機の駆動によって冷媒が通流する室外熱交換器と、
室外ファンモータを有し、前記室外熱交換器の付近に設置される室外ファンと、
前記圧縮機を停止させた状態で前記室外ファンを駆動して前記室外熱交換器に外気を送り込む室外送風運転中の通風抵抗に基づいて、前記室外熱交換器のメンテナンスの要否を報知する制御部と、を備えること
を特徴とする空気調和機の室外機。
【請求項２】
前記制御部は、前記通風抵抗が反映される値として、前記室外ファンモータの電流又は電力の値を用い、前記室外送風運転中の前記値が所定の正常範囲から外れた場合、前記室外熱交換器のメンテナンスを要する旨を報知すること
を特徴とする請求項１に記載の空気調和機の室外機。
【請求項３】
前記制御部は、前記室外送風運転中の前記値が前記正常範囲から外れた場合において、外気温度が所定温度以下であったとき、前記室外熱交換器の除霜を行う除霜運転を実行した後、前記室外送風運転を再び行い、さらに、当該室外送風運転中の前記値が前記正常範囲から外れた場合、前記室外熱交換器のメンテナンスを要する旨を報知すること
を特徴とする請求項２に記載の空気調和機の室外機。
【請求項４】
前記制御部は、前記室外熱交換器が正常であることが既知であるときの前記室外送風運転時の前記室外ファンモータの電流又は電力の値に対して、今回の前記室外送風運転時の前記値が占める比率に基づいて、前記室外熱交換器のメンテナンスの要否を報知すること
を特徴とする請求項１に記載の空気調和機の室外機。
【請求項５】
前記制御部は、前記圧縮機の駆動による空調運転の開始指令を受信した場合、前記空調運転に先立って前記室外送風運転を行い、当該室外送風運転中の通風抵抗に基づいて、前記室外熱交換器のメンテナンスの要否を報知すること
を特徴とする請求項１に記載の空気調和機の室外機。
【請求項６】
前記制御部は、前記空調運転として暖房運転の開始指令を受信した場合、前記室外送風運転に先立って、前記室外熱交換器の除霜を行う除霜運転を実行するとともに、当該除霜運転を行っている旨を報知すること
を特徴とする請求項５に記載の空気調和機の室外機。
【請求項７】
前記制御部は、前記圧縮機の駆動による空調運転の停止後に前記室外送風運転を行い、前記室外送風運転中の通風抵抗に基づいて、前記室外熱交換器のメンテナンスの要否を報知すること
を特徴とする請求項１に記載の空気調和機の室外機。
【請求項８】
前記制御部は、前記空調運転として暖房運転を行った後、前記室外熱交換器の除霜を行う除霜運転を実行し、その後の前記室外送風運転中の通風抵抗に基づいて、前記室外熱交換器のメンテナンスの要否を報知すること
を特徴とする請求項７に記載の空気調和機の室外機。
【請求項９】
圧縮機と、室外熱交換器と、膨張弁と、室内熱交換器と、が四方弁を介して環状に順次接続されてなる冷媒回路を備えるとともに、
室外ファンモータを有し、前記室外熱交換器の付近に設置される室外ファンと、
室内ファンモータを有し、前記室内熱交換器の付近に設置される室内ファンと、
前記圧縮機、前記膨張弁、前記四方弁、前記室外ファン、及び前記室内ファンを制御する制御部と、を備え、
前記制御部は、前記圧縮機を停止させた状態で前記室外ファンを駆動して前記室外熱交換器に外気を送り込む室外送風運転中の通風抵抗に基づいて、前記室外熱交換器のメンテナンスの要否を報知すること
を特徴とする空気調和機。
【請求項１０】
圧縮機と、前記圧縮機の駆動によって冷媒が通流する室外熱交換器と、室外ファンモータを有し、前記室外熱交換器の付近に設置される室外ファンと、少なくとも前記圧縮機及び前記室外ファンを制御する制御部と、を備える空気調和機との間で空調管理装置が通信を行う通信ステップと、
前記圧縮機を停止させた状態で前記室外ファンを駆動して前記室外熱交換器に外気を送り込む室外送風運転中の通風抵抗に基づいて、前記空調管理装置が、前記室外熱交換器のメンテナンスの要否を報知する報知ステップと、を含むこと
を特徴とする空調管理方法。
【発明の詳細な説明】
【技術分野】
【０００１】
本発明は、空気調和機の室外機等に関する。
【背景技術】
【０００２】
室内機のフィルタの目詰まりを検知する技術として、例えば、特許文献１には、「ファンモータ負荷が一定の値を下回った場合、フィルタ目詰まりと判断」することが記載されている。
【先行技術文献】
【特許文献】
【０００３】
【特許文献１】特開２００４−１７７０６３号公報
【発明の概要】
【発明が解決しようとする課題】
【０００４】
ところで、室内機のフィルタの他に、室外熱交換器においても塵や埃の付着によって目詰まりが生じることがある。このように室外熱交換器の目詰まりが生じると、冷媒との間で熱交換を行う空気の風量が小さくなるため、熱交換効率の低下を招いたり、電力コストの増加を招いたりする。
なお、室外熱交換器の付近に障害物（他の機器等）が設置された場合にも、通風抵抗の増加によって、熱交換効率の低下や電力コストの増加を招くことがある。
【０００５】
このような事情を考慮して、例えば、特許文献１の技術を室外熱交換器の目詰まり等の検知に適用することが考えられる。すなわち、空調運転（暖房運転、冷房運転等）を行っているとき、室外ファンモータの負荷（モータの回転に抗する力）が一定の値を下回った場合、制御部が、「室外熱交換器に目詰まり等が生じている」と判断することが考えられる。
【０００６】
しかしながら、例えば、空調運転中に空調負荷が変化すると、室外熱交換器を通流する冷媒の温度が変化する。そうすると、室外ファンに向かう空気の温度も変化するため、これに伴って、空気の密度が変化する。その結果、室外熱交換器の目詰まりの程度が同一であっても、空調負荷の大きさによっては、室外ファンモータの負荷が異なる値になる可能性がある。つまり、特許文献１に記載の技術を室外熱交換器の目詰まり等の検知に適用すると、そのメンテナンスの要否を適切なタイミングで報知できない可能性がある。
【０００７】
そこで、本発明は、室外熱交換器のメンテナンスの要否を適切なタイミングで報知する空気調和機の室外機等を提供することを課題とする。
【課題を解決するための手段】
【０００８】
前記課題を解決するために、本発明は、圧縮機を停止させた状態で室外ファンを駆動して室外熱交換器に外気を送り込む室外送風運転中の通風抵抗に基づいて、前記室外熱交換器のメンテナンスの要否を報知することを特徴とする。
【発明の効果】
【０００９】
本発明によれば、室外熱交換器のメンテナンスの要否を適切なタイミングで報知する空気調和機の室外機等を提供できる。
【図面の簡単な説明】
【００１０】
【図１】本発明の第１実施形態に係る空気調和機の構成図である。
【図２】本発明の第１実施形態に係る空気調和機が備える室外機の斜視図である。
【図３】本発明の第１実施形態に係る空気調和機が備える室外機の縦断面図である。
【図４】本発明の第１実施形態に係る空気調和機が備える室外機の平面図である。
【図５】本発明の第１実施形態に係る空気調和機の制御系に関する構成図である。
【図６】本発明の第１実施形態に係る空気調和機の制御部が実行する処理のフローチャートである
【図７】本発明の第１実施形態に係る空気調和機が備える室外熱交換器の通風抵抗の変化を示す説明図である。
【図８】本発明の第１実施形態に係る空気調和機が備える室外熱交換器の通風抵抗の変化に関する別の例を示す説明図である。
【図９】本発明の第２実施形態に係る空気調和機の制御部が実行する処理のフローチャートである。
【図１０】本発明の第３実施形態に係る空気調和機の制御部が実行する処理のフローチャートである。
【図１１】本発明の第４実施形態に係る空気調和機の制御部が実行する処理のフローチャートである。
【図１２】本発明の第５実施形態に係る空気調和機の制御部が実行する処理のフローチャートである。
【図１３】本発明の第６実施形態に係る空気調和機の制御部が実行する処理のフローチャートである。
【図１４】本発明の第６実施形態に係る空気調和機の制御部が実行する処理のフローチャートである。
【図１５】本発明の第７実施形態に係る空調システムの構成図である。
【図１６】本発明の第７実施形態に係る空調システムの空調管理装置が実行する処理のフローチャートである
【図１７】本発明の第８実施形態に係る空気調和機の構成図である。
【発明を実施するための形態】
【００１１】
≪第１実施形態≫
＜空気調和機の構成＞
図１は、第１実施形態に係る空気調和機１００の構成図である。
なお、図１では、冷媒回路Ｊの冷媒配管を実線で図示し、通信線Ｋを破線で図示している。
図１に示す空気調和機１００は、空調を行う機器であり、上吹きタイプの室外機１０と、天井埋込タイプの室内機２１〜２４と、を備えている。室外機１０には、後記する圧縮機１２、室外熱交換器１５、室外ファン１６等が設置されている（図３参照）。室内機２１〜２４には、それぞれ、図示はしないが、室内熱交換器や室内ファン等が設置されている。
【００１２】
図１に示す例では、一台の室外機１０と、４台の室内機２１〜２４と、が冷媒配管を介して並列接続されてなる冷媒回路Ｊにおいて、周知のヒートポンプサイクルで冷媒が循環するようになっている。
【００１３】
なお、図１では冷媒配管の図示を簡略化し、室外機１０から室内機２１〜２４に冷媒を導く冷媒配管と、室内機２１〜２４から室外機１０に冷媒を導く冷媒配管と、を共通の実線で図示している。また、室外機１０と、室内機２１と、は通信線Ｋを介して相互に通信可能になっている（室外機１０と、他の室内機２２〜２４についても同様）。
【００１４】
図２は、空気調和機１００が備える室外機１０の斜視図である。
なお、後記する電気品箱１４が設置される側（図２の紙面手前側）を前側として、前後・左右・上下を定義する。図２に示すように、室外機１０は、上部に吹出口Ｈが設けられた筐体１１を備えている。なお、図２に示す他の構成については、図３を用いて次に説明する。
【００１５】
図３は、空気調和機１００が備える室外機１０の縦断面図である。
なお、図３に示す矢印は、空気の流れを示している（図４も同様）。また、図３では、電流検出器１７や外気温度センサ１８に接続される配線の図示を省略し、また、冷媒配管の図示も省略している。
【００１６】
図３に示すように、室外機１０は、筐体１１と、圧縮機１２と、アキュムレータ１３と、電気品箱１４と、室外熱交換器１５と、室外ファン１６と、電流検出器１７と、外気温度センサ１８と、を備えている。
筐体１１は、圧縮機１２、室外熱交換器１５、室外ファン１６等が設置される部材である。筐体１１は、図３に示す底板１１ａ、サービスカバー１１ｃ，１１ｄ、支持板１１ｅ、及び上面カバー１１ｆの他に、２枚の側面カバー１１ｂ，１１ｂ（図４参照）を備えている。
【００１７】
底板１１ａは、圧縮機１２、アキュムレータ１３、室外熱交換器１５等を支持する板である。
側面カバー１１ｂ，１１ｂ（図４参照）は、室外機１０の右側面の一部・左側面の一部を覆うカバーである。
【００１８】
サービスカバー１１ｃ，１１ｄは、室外機１０のメンテナンス等を行う際に取り外されるカバーであり、室外機１０の前面に設置されている。そして、上側のサービスカバー１１ｃが取り外されることで電気品箱１４が露出し、また、下側のサービスカバー１１ｄが取り外されることで圧縮機１２等が露出するようになっている。
【００１９】
圧縮機１２は、低温低圧のガス冷媒を圧縮し、高温高圧のガス冷媒として吐出する機器である。この圧縮機１２を駆動し、冷媒回路Ｊ（図１参照）において周知のヒートポンプサイクルで冷媒を循環させることによって、「空調運転」が行われるようになっている。
【００２０】
アキュムレータ１３は、圧縮機１２の吸込側において冷媒を気液分離する殻状部材である。
電気品箱１４は、後記する主制御回路１９ａ（図５参照）、圧縮機コントローラ１９ｂ、ファンコントローラ１９ｃ等を収容する箱である。
【００２１】
室外熱交換器１５は、圧縮機１２の駆動によって冷媒が通流する熱交換器である。この室外熱交換器１５の伝熱管（図示せず）を通流する冷媒と、空気と、の間で熱交換が行われるようになっている。その他、図３では図示を省略しているが、筐体１１には、冷媒の流路を切り替える四方弁や、冷媒を減圧する膨張弁等も設置されている。
【００２２】
室外ファン１６は、室外熱交換器１５を介して空気を通流させるファンであり、室外熱交換器１５の付近に設置されている。図３に示す例では、室外ファン１６が、筐体１１の上部に設けられた吹出口Ｈの付近に配置されている。室外ファン１６は、ファン本体１６ａ（プロペラファンともいう）と、このファン本体１６ａを回転させる室外ファンモータ１６ｂと、を備えている。
【００２３】
図３に示す支持板１１ｅは、室外ファン１６を支持する矩形状の板であり、上面カバー１１ｆの下端付近に配置されている。
上面カバー１１ｆは、室外ファン１６を取り囲むように配置される筒状のカバーである。この上面カバー１１ｆの上部には、保護用の網Ｆが設置されている。
【００２４】
電流検出器１７は、室外ファンモータ１６ｂに流れる電流を検出するものである。このような電流検出器１７として、例えば、シャント抵抗を用いることができるが、これに限定されるものではない。なお、図３では、室外ファンモータ１６ｂの外側に電流検出器１７を図示しているが、実際には、室外ファンモータ１６ｂを駆動するファンコントローラ１９ｃ（図５参照）に電流検出器１７が設けられている。
【００２５】
外気温度センサ１８は、外気の温度を検出するセンサであり、室外機１０の所定箇所に設置されている。
その他、図３では図示を省略しているが、空気調和機１００は、冷媒回路Ｊ（図１参照）の所定箇所に設置される複数の圧力センサや、複数の温度センサを備えている。
【００２６】
図４は、空気調和機１００が備える室外機１０の平面図である。
なお、図４では、上面カバー１１ｆ（図３参照）に関して、その上端面のみを図示し、その他の部分の図示を省略している。
図４に示すように、室外熱交換器１５は平面視で湾曲しており、Ｕ字状を呈している。この室外熱交換器１５は、筐体１１の背面・右側面の一部・左側面の一部に配置されている。なお、右側面・左側面の残りの部分（側面視で室外熱交換器１５が露出していない部分）には、前記した側面カバー１１ｂ，１１ｂが設置されている。
【００２７】
そして、室外ファン１６が駆動すると、室外熱交換器１５を介して筐体１１内に空気が取り込まれ、この空気と、室外熱交換器１５の伝熱管（図示せず）を通流する冷媒と、の間で熱交換が行われるようになっている。なお、筐体１１内に取り込まれた空気は、吹出口Ｈ（図３参照）を介して外部に吹き出される。
【００２８】
図５は、空気調和機１００の制御系に関する構成図である。
空気調和機１００は、前記した構成の他に、主制御回路１９ａと、圧縮機コントローラ１９ｂと、ファンコントローラ１９ｃと、を備えている。主制御回路１９ａ、圧縮機コントローラ１９ｂ、及びファンコントローラ１９ｃには、商用電源Ｅから電力が供給される。
【００２９】
また、主制御回路１９ａ、圧縮機コントローラ１９ｂ、及びファンコントローラ１９ｃは、それぞれ、図示はしないが、ＣＰＵ（Central Processing Unit）、ＲＯＭ（Read Only Memory）、ＲＡＭ（Random Access Memory）、各種インタフェース等の電子回路を含んで構成されている。そして、ＲＯＭに記憶されたプログラムを読み出してＲＡＭに展開し、ＣＰＵが各種処理を実行するようになっている。
【００３０】
主制御回路１９ａは、外気温度センサ１８や圧力センサ（図示せず）を含む各センサの検出値の他、リモコン（図示せず）の操作による信号に基づいて、所定の指令値を演算する。前記した指令値には、圧縮機１２のモータ（図示せず）、室外ファンモータ１６ｂ、室内ファンモータ（図示せず）の回転速度指令値の他、膨張弁（図示せず）の開度指令値や、四方弁（図示せず）の切替指令が含まれる。
【００３１】
圧縮機コントローラ１９ｂは、主制御回路１９ａから入力される指令値に基づいて、圧縮機１２のモータ（図示せず）を制御する。
ファンコントローラ１９ｃは、主制御回路１９ａから入力される指令値に基づいて、室外ファンモータ１６ｂを制御する。
【００３２】
以下では、主制御回路１９ａ、圧縮機コントローラ１９ｂ、及びファンコントローラ１９ｃを含む電子回路を「制御部１９」という。
【００３３】
＜室外熱交換器１５のメンテナンスについて＞
ところで、図３に示す室外機１０の使用期間が長くなるにつれて、室外熱交換器１５のフィン（図示せず）に塵や埃が付着し、場合によっては、室外熱交換器１５に目詰まりが生じることがある。このように室外熱交換器１５に目詰まりが生じると、室外ファンモータ１６ｂを同一の回転速度で駆動しても、通風抵抗の増加によって風量が低下するため、室外熱交換器１５での熱交換効率の低下を招く。また、通風抵抗の増加によって、冷凍サイクル能力が低下するため、空調運転の電力コストの増加を招く。
なお、室外熱交換器１５の付近に何らかの障害物が置かれた場合にも、この障害物によって室外機１０における通風抵抗が増加し、熱交換効率の低下や電力コストの増加を招くことがある。
【００３４】
これまでは、通風抵抗が反映される室外ファンモータ１６ｂの電流値に基づいて、空調運転中（サイクル運転中）に、室外熱交換器１５の目詰まりの有無が判定されていた。つまり、圧縮機１２の駆動によって、冷媒回路Ｊ（図１参照）で冷媒が循環しているときに、前記した判定が行われていた。
【００３５】
しかしながら、空調運転中に空調負荷が変化すると、室外熱交換器１５を通流する冷媒の温度が変化する。そうすると、室外ファン１６に向かう空気の温度も変化するため、これに伴って、空気の密度が変化する。その結果、室外熱交換器１５の目詰まりの程度が同一であっても、空調負荷の大きさによっては、室外ファンモータ１６ｂの電流値が変化するという事情があった。
【００３６】
つまり、これまでの技術では、室外熱交換器１５をメンテナンスすべき旨をユーザ等に報知するタイミングが早すぎたり、また、遅すぎたりすることがあった。そこで、本実施形態では、圧縮機１２が停止状態のときに室外ファン１６を駆動する「室外送風運転」を行うようにしている。この「室外送風運転」中、室外ファンモータ１６ｂの電流値に基づき、制御部１９によって、室外熱交換器１５のメンテナンスの要否が判定される。
【００３７】
「室外送風運転」中、冷媒回路Ｊにおいて冷媒が循環していないため、室外熱交換器１５では空気と冷媒との間の熱交換がほとんど行われない。つまり、室外ファン１６の駆動によって筐体１１内を通流する空気の温度・密度は、前記した熱交換の影響をほとんど受けない。これによって、通風抵抗が反映される室外ファンモータ１６ｂの電流値に基づき、制御部１９が、室外熱交換器１５のメンテナンスの要否を適切に判定できる。これが、本実施形態の主な特徴の一つである。
【００３８】
＜制御部の処理＞
図６は、空気調和機１００の制御部１９が実行する処理のフローチャートである（適宜、図５を参照）。
なお、図６の「ＳＴＡＲＴ」時には、空調運転（冷房運転や暖房運転等）が行われていないものとする。つまり、図６の「ＳＴＡＲＴ」時には圧縮機１２が停止状態であり、冷媒回路Ｊにおいて冷媒が循環していないものとする。
【００３９】
ステップＳ１０１において制御部１９は、室外送風運転を開始する。前記したように、「室外送風運転」とは、圧縮機１２を停止させた状態で室外ファン１６を駆動して、室外熱交換器１５に外気を送り込む運転モードである。
【００４０】
なお、「室外送風運転」は、空調運転が行われていない期間に含まれる任意の時点で実行可能である。この室外送風運転中、室内ファン（図示せず）は停止状態であってもよいし、また、ユーザによるリモコン（図示せず）の操作に応じて、室内ファンを駆動させてもよい。このように室内ファンを駆動することで、室内（被空調空間）の空気が撹拌される。
【００４１】
次に、図６のステップＳ１０２において制御部１９は、電流検出器１７によって検出される室外ファンモータ１６ｂの電流値Ｉを読み込む。つまり、本実施形態では、室外熱交換器１５の通風抵抗（目詰まりの程度）が反映される値として、室外ファンモータ１６ｂの電流値Ｉを用いている。
【００４２】
ステップＳ１０３において制御部１９は、ステップＳ１０２で読み込んだ電流値Ｉが、所定の正常範囲内であるか否かを判定する。この「正常範囲」は、室外熱交換器１５のメンテナンスを要するか否かの判定基準となる範囲であり、予め設定されている。
【００４３】
なお、所定の特性を有する室外ファン１６では、風量固定で考えれば、室外熱交換器１５の通風抵抗が大きくなるにつれて電流値Iも大きくなるが、実際の製品では回転数（回転速度）で制御される場合が多く、例えば、回転数固定で考えると、電流値Iが大きくなる場合も、その逆の場合もある。つまり、室外ファン１６の特性によっては、室外熱交換器１５の通風抵抗が大きくなるにつれて、電流値Ｉが小さくなることもあるし、また、電流値Ｉが増加から減少に転じることもある。このような室外ファン１６の特性を考慮して、前記した「正常範囲」が予め設定されている。
【００４４】
ステップＳ１０３において電流値Ｉが正常範囲内である場合（Ｓ１０３：Ｙｅｓ）、制御部１９の処理はステップＳ１０４に進む。
ステップＳ１０４において制御部１９は、現時点では、室外熱交換器１５のメンテナンスを要しないと判定する。この「メンテナンス」には、室外熱交換器１５の洗浄の他、室外熱交換器１５の付近に設置された障害物（他の機器等）の移動も含まれる。
【００４５】
一方、ステップＳ１０３において電流値Ｉが正常範囲外である場合（Ｓ１０３：Ｎｏ）、制御部１９の処理はステップＳ１０５に進む。
ステップＳ１０５において制御部１９は、室外熱交換器１５のメンテナンスを要すると判定する。
ステップＳ１０４又はＳ１０５の処理を行った後、制御部１９の処理はステップＳ１０６に進む。
【００４６】
ステップＳ１０６において制御部１９は、メンテナンスの要否を報知する。例えば、制御部１９は、リモコン（図示せず）にメンテナンスの要否を表示させる。また、例えば、制御部１９は、空気調和機１００の状態を遠隔監視するサーバ（図示せず）に、メンテナンスの要否を示すデータを送信する。そして、室外機１０のメンテナンスを要すると判定された場合、サーバからデータを受信したユーザの端末（パソコン、スマートフォン、タブレット等）に、メンテナンスを喚起するメールを送信するようにしてもよい。その他、メンテナンスを要する旨を、室内機２１〜２４の表示器（図示せず）に表示させてもよい。
【００４７】
次に、ステップＳ１０７において制御部１９は、送風運転を終了する。なお、図６に示す一連の処理を定期的に（一日に一回、一週間に一回等）行ってもよいし、また、不定期で（例えば、空調運転の開始又は終了のタイミングに合わせて）行ってもよい。
【００４８】
図７は、室外熱交換器１５の通風抵抗の変化を示す説明図である。
なお、図７の横軸は時間であり、縦軸は室外熱交換器１５の通風抵抗である。また、図７の説明図にプロットされている複数の点で、それぞれ、室外送風運転（図６のＳ１０１）が行われたものとする（図８も同様）。
また、図７に示す閾値Ｆ１は、室外熱交換器１５のメンテナンスを要するか否かの判定基準となる閾値であり、予め設定されている。この閾値Ｆ１以下の範囲に対応して、室外ファンモータ１６ｂの電流値Ｉの「正常範囲」（図６のＳ１０３）が予め設定されている。
【００４９】
図７に示すように、時間が経過するにつれて、室外熱交換器１５の通風抵抗が徐々に増加している。これは、室外熱交換器１５のフィン（図示せず）に塵や埃が付着したためである。そして、図７の時刻ｔ１の室外送風運転時には、通風抵抗が閾値Ｆ１を超えている。その結果、室外ファンモータ１６ｂの電流値Ｉは、所定の正常範囲から外れる（図６のＳ１０３：Ｎｏ）。したがって、「室外熱交換器１５のメンテナンスを要する」旨の報知が適切なタイミングでなされる（Ｓ１０５、Ｓ１０６）。
【００５０】
図８は、室外熱交換器１５の通風抵抗の変化に関する別の例を示す説明図である。
なお、図８に示す時刻ｔ２において、室外熱交換器１５の付近に障害物（他の機器等：図示せず）が置かれたものとする。障害物が置かれた直後の室外送風運転時（時刻ｔ３）には、この障害物の影響によって、室外機１０の通風抵抗が急増している。その結果、室外ファンモータ１６ｂの電流値Ｉが正常範囲から外れるため（図６のＳ１０３：Ｎｏ）、「室外熱交換器１５のメンテナンスを要する」と判定される（Ｓ１０５）。前記したように、「メンテナンス」には、室外熱交換器１５の付近の障害物を移動させる処理も含まれる。
【００５１】
なお、前回の室外送風運転時の通風抵抗（電流値Ｉ）と、今回の室外送風運転時の通風抵抗（電流値Ｉ）と、に基づいて、通風抵抗の時間的な変化率を算出するようにしてもよい。そして、この変化率が所定閾値未満であれば、制御部１９が、室外熱交換器１５に「目詰まりが生じている」と判定し（図７参照）、また、所定閾値以上であれば、室外熱交換器１５の付近に「障害物が置かれた」と判定するようにしてもよい（図８参照）。これによって、メンテナンスに関するより詳細な情報をユーザに提示できる。
【００５２】
＜効果＞
第１実施形態によれば、圧縮機１２を停止させた状態で室外ファン１６を駆動する室外送風運転中の通風抵抗に基づき（つまり、電流値Ｉに基づき）、制御部１９によって、室外熱交換器１５のメンテナンスの要否が判定される。これによって、前記したように、室外熱交換器１５のメンテナンスの要否を適切なタイミングで報知できる。
【００５３】
≪第２実施形態≫
第２実施形態は、室外熱交換器１５が正常であることが既知であるときの室外送風運転時の電流値Ｉ０に対して、今回の室外送風運転時の電流値Ｉが占める比率Ｉ／Ｉ０に基づき、メンテナンスの要否が判定される点が第１実施形態とは異なっている。なお、その他（空気調和機１００の構成等：図１〜図５参照）については、第１実施形態と同様である。したがって、第１実施形態とは異なる部分について説明し、重複する部分については説明を省略する。
【００５４】
図９は、第２実施形態に係る空気調和機１００の制御部１９が実行する処理のフローチャートである（適宜、図５を参照）。
なお、図９において、第１実施形態（図６参照）と同様の処理には、同一のステップ番号を付している。また、室外熱交換器１５が正常である（つまり、目詰まり等がない）ことが既知であるときの、室外送風運転時の室外ファンモータ１６ｂの電流値を「電流値Ｉ０」とする。
【００５５】
ステップＳ１０２において室外ファンモータ１６ｂの電流値Ｉを読み込んだ後、ステップＳ１０３ａにおいて制御部１９は、比率Ｉ／Ｉ０が正常範囲内であるか否かを判定する。この比率Ｉ／Ｉ０は、前記した電流値Ｉ０に対して、今回の室外送風運転時の電流値Ｉが占める比率である。
【００５６】
ステップＳ１０３ａにおいて比率Ｉ／Ｉ０が正常範囲内である場合（Ｓ１０３ａ：Ｙｅｓ）、制御部１９の処理はステップＳ１０４に進む。
一方、ステップＳ１０３ａにおいて比率Ｉ／Ｉ０が正常範囲外である場合（Ｓ１０３ａ：Ｎｏ）、制御部１９の処理はステップＳ１０５に進む。
なお、ステップＳ１０４〜Ｓ１０７の処理については、第１実施形態と同様であるから、説明を省略する。
【００５７】
＜効果＞
第２実施形態によれば、さまざまな機種の空気調和機に関して、メンテナンスの要否の判定基準となる「正常範囲」を、比率Ｉ／Ｉ０に基づいて一律に設定できる。特に近年、筐体１１や室外熱交換器１５の他、室外ファン１６も多種多様なタイプのものが製造されている。仮に、第１実施形態を適用した場合には、空気調和機の機種ごとに「正常範囲」を個別に設定する必要があるのに対して、第２実施形態では、その機種が異なっていても、「正常範囲」を一律に設定できる。空気調和機の機種が異なっていても、比率Ｉ／Ｉ０に関する「正常範囲」は、それほど変わらないからである。したがって、第２実施形態によれば、空気調和機１００の設計段階で、作業員が「正常範囲」を設定する際の手間を省くことができる。
【００５８】
また、ユーザによっては、設置スペース等の理由で、室外熱交換器１５の付近に障害物が存在する状況を許容せざるを得ないことがある。その他、室外熱交換器１５の吸込側にダクト（図示せず）が設置された場合には、通風抵抗が通常よりも高くなりやすい。このような場合、制御部１９は、障害物が存在する状態やダクトが設置されている状態での電流値を「正常時の電流値Ｉ０」として記憶し、今回の電流値Ｉとの比率（Ｉ／Ｉ０）に基づいて、室外熱交換器１５のメンテナンスの要否を判定する。
【００５９】
前記した電流値Ｉ０（障害物等が設置された状態での正常時の電流値）を記憶するトリガは、例えば、作業員によるリモコンの操作である。このような比率（Ｉ／Ｉ０）を用いることで、さまざまな状況に柔軟に対応して、室外熱交換器１５のメンテナンスの要否を適切に判定できる。なお、室外熱交換器１５が正常であることが既知であるときの電流値Ｉ０を、所定期間ごとに適宜に更新してもよい。
【００６０】
≪第３実施形態≫
第３実施形態は、空調運転に先立って室外送風運転が行われる点が第１実施形態とは異なっていが、その他については第１実施形態と同様である。したがって、第１実施形態とは異なる部分について説明し、重複する部分については説明を省略する。
【００６１】
図１０は、第３実施形態に係る空気調和機１００の制御部１９が実行する処理のフローチャートである（適宜、図５を参照）。
なお、図１０の「ＳＴＡＲＴ」時には、空調運転も室外送風運転も行われていないものとする。
ステップＳ３０１において制御部１９は、リモコン（図示せず）の操作による空調運転の開始指令があったか否かを判定する。空調運転の開始指令があった場合（Ｓ３０１：Ｙｅｓ）、制御部１９の処理はステップＳ３０２に進む。一方、空調運転の開始指令がない場合（Ｓ３０１：Ｎｏ）、制御部１９はステップＳ３０１の処理を繰り返す。
【００６２】
ステップＳ３０２において制御部１９は、室外送風運転を開始する。つまり、制御部１９は、圧縮機１２を停止させた状態で室外ファン１６を駆動する。
ステップＳ３０３において制御部１９は、メンテナンス要否判定処理を実行する。この「メンテナンス要否判定処理」は、第１実施形態で説明したステップＳ１０２〜１０５（図６参照）と同様の処理である。すなわち、制御部１９は、空調運転の開始指令を受信した場合（Ｓ３０１：Ｙｅｓ）、空調運転（Ｓ３０６）に先立って室外送風運転を行い（Ｓ３０２）、この室外送風運転中の通風抵抗（電流値Ｉ）に基づいて、室外熱交換器１５のメンテナンスの要否を判定する（Ｓ３０３）。
【００６３】
次に、ステップＳ３０４において制御部１９は、室外熱交換器１５のメンテナンスの要否を報知する。例えば、制御部１９は、メンテナンスを要する旨をリモコン（図示せず）に表示させる。
ステップＳ３０５において制御部１９は、室外送風運転を終了する。
ステップＳ３０６において制御部１９は、空調運転（暖房運転、冷房運転等）を開始する。
【００６４】
＜効果＞
第３実施形態によれば、空調運転（Ｓ３０６）に先立って、室外送風運転が行われ（Ｓ３０２）、この室外送風運転中に室外熱交換器１５のメンテナンスの要否が判定される（Ｓ３０３）。したがって、空調運転を中断することなく、室外熱交換器１５のメンテナンスの要否を判定でき、第１実施形態よりもユーザにとっての空調の快適性を高めることができる。
【００６５】
≪第４実施形態≫
第４実施形態は、暖房運転の開始指令があった場合、除霜運転を行った後、室外送風運転を行う点が第３実施形態とは異なっているが、その他については第３実施形態と同様である。したがって、第３実施形態とは異なる部分について説明し、重複する部分については説明を省略する。
【００６６】
図１１は、第４実施形態に係る空気調和機１００の制御部１９が実行する処理のフローチャートである（適宜、図５を参照）。
なお、第３実施形態（図１０参照）と同様の処理には、同一のステップ番号を付している。
ステップＳ４０１において制御部１９は、リモコン（図示せず）の操作による暖房運転の開始指令があったか否かを判定する。暖房運転の開始指令があった場合（Ｓ４０１：Ｙｅｓ）、制御部１９の処理はステップＳ４０２に進む。一方、暖房運転の停止指令がない場合（Ｓ４０１：Ｎｏ）、制御部１９はステップＳ４０１の処理を繰り返す。
【００６７】
ステップＳ４０２において制御部１９は、室外熱交換器１５の除霜を行う除霜運転を実行する。この「除霜運転」とは、室外熱交換器１５に付着した霜や雪を溶かして、その熱交換性能を回復するための運転モードである。「除霜運転」について具体的に説明すると、制御部１９は、圧縮機１２をいったん停止し、室外熱交換器１５を凝縮器として機能させ、室内熱交換器（図示せず参照）を蒸発器として機能させるように四方弁（図示せず）を切り替えた後、圧縮機１２を再び駆動する。これによって、室外熱交換器１５の伝熱管に高温の冷媒が流れるため、室外熱交換器１５に付着した霜や雪が徐々に溶けていく。ちなみに、除霜運転中、室温（被空調空間の温度）を検出するとき以外は、室内ファン（図示せず）は停止している。
【００６８】
ステップＳ４０３において制御部１９は、除霜運転中であることをユーザに報知する。例えば、制御部１９は、室内機２１〜２４（図１参照）に設置された表示器（図示せず）の点灯や、リモコン（図示せず）の表示等によって、前記した報知を行う。このように、制御部１９は、暖房運転の開始指令を受信した場合（Ｓ４０１：Ｙｅｓ）、室外送風運転（Ｓ３０２）に先立って、室外熱交換器１５の除霜を行う除霜運転を実行するとともに（Ｓ４０２）、この除霜運転を行っている旨を報知する（Ｓ４０３）。これによって、ユーザは、暖房運転の開始ボタン（図示せず）を押した後、しばらくは暖房運転が行われずに除霜運転が行われていることを理解できる。
【００６９】
次に、制御部１９の処理はステップＳ３０２に進む。なお、ステップＳ３０２〜Ｓ３０６の処理については、第３実施形態（図１０参照）と同様であるから、説明を省略する。
【００７０】
＜効果＞
第４実施形態によれば、室外送風運転（Ｓ３０２）に先立って、除霜運転が行われる（Ｓ４０２）。仮に、室外熱交換器１５に雪が降り積もった状態でメンテナンス要否判定処理（Ｓ３０３）が行われると、室外熱交換器１５の通風抵抗が雪の影響で正常時よりも大きくなる。これに対して第４実施形態では、室外熱交換器１５に付着した雪を除霜運転（Ｓ４０２）によって溶かしてからメンテナンス要否判定処理（Ｓ３０３）を行うため、室外熱交換器１５が目詰まりしている（又は障害物がある）か否かを適切に判定できる。
【００７１】
≪第５実施形態≫
第５実施形態は、空調運転の停止指令があった場合に室外送風運転を実行する点が第１実施形態とは異なっているが、その他については第１実施形態と同様である。したがって、第１実施形態と異なる部分について説明し、重複する部分については説明を省略する。
【００７２】
図１２は、第５実施形態に係る空気調和機１００の制御部１９が実行する処理のフローチャートである（適宜、図５を参照）。
なお、図１２の「ＳＴＡＲＴ」時には、空調運転（冷房運転、暖房運転等）が行われているものとする。
ステップＳ５０１において制御部１９は、リモコン（図示せず）の操作による空調運転の停止指令があったか否かを判定する。空調運転の停止指令があった場合（Ｓ５０１：Ｙｅｓ）、制御部１９の処理はステップＳ５０２に進む。一方、空調運転の停止指令がない場合（Ｓ５０１：Ｎｏ）、制御部１９はステップＳ５０１の処理を繰り返して、空調運転を継続する。
【００７３】
ステップＳ５０２において制御部１９は、空調運転を停止する。つまり、制御部１９は、少なくとも圧縮機１２を停止させる。
ステップＳ５０３において制御部１９は、室外送風運転を開始する。このように制御部１９は、空調運転の停止後に室外送風運転を行う（Ｓ５０２、Ｓ５０３）。
ステップＳ５０４において制御部１９は、メンテナンス要否判定処理を実行する。このメンテナンス要否判定処理は、第１実施形態（図６参照）で説明したステップＳ１０２〜１０５と同様の処理である。つまり、制御部１９は、室外送風運転中の通風抵抗（電流値Ｉ）に基づいて、室外熱交換器１５のメンテナンスの要否を判定する。
【００７４】
次に、ステップＳ５０５において制御部１９は、メンテナンスの要否を報知する。例えば、制御部１９は、メンテナンスを要する旨をリモコン（図示せず）に表示させる。
ステップＳ５０６において制御部１９は、室外送風運転を終了する。
【００７５】
＜効果＞
第５実施形態によれば、室外送風運転が空調運転の停止後に行われる（Ｓ５０２、Ｓ５０３）。したがって、室外送風運転が空調運転の開始に先立って行われる第３実施形態（図１０参照）に比べて、リモコン（図示せず）が操作されてから、冷房運転や暖房運転が実際に開始されるまでの時間を短縮できる。これによって、第３実施形態よりもユーザにとっての空調の快適性を高めることができる。
【００７６】
≪第６実施形態≫
第６実施形態は、室外ファンモータ１６ｂの電流値Ｉ及び外気温度に基づいて、室外熱交換器１５のメンテナンスの要否を判定する点が第１実施形態とは異なっているが、その他（空気調和機１００の構成等：図１〜図５参照）については第１実施形態と同様である。したがって、第１実施形態とは異なる部分について説明し、重複する部分については説明を省略する。
【００７７】
図１３、図１４は、第６実施形態に係る空気調和機１００の制御部１９が実行する処理のフローチャートである（適宜、図５を参照）。
なお、図１２の「ＳＴＡＲＴ」時には、空調運転も室外送風運転も行われていないものとする。
ステップＳ６０１において制御部１９は、リモコン（図示せず）の操作による暖房運転の開始指令があったか否かを判定する。暖房運転の開始指令があった場合（Ｓ６０１：Ｙｅｓ）、制御部１９の処理はステップＳ６０２に進む。一方、暖房運転の開始指令がない場合（Ｓ６０１：Ｎｏ）、制御部１９はステップＳ６０１の処理を繰り返す。
【００７８】
ステップＳ６０２において制御部１９は、外気温度センサ１８によって取得される外気温度の検出値Ｔを読み込む。つまり、制御部１９は、暖房運転の開始時における外気温度を記憶する。
【００７９】
ステップＳ６０３において制御部１９は、暖房運転を開始する。
ステップＳ６０４において制御部１９は、リモコン（図示せず）の操作による暖房運転の停止指令があったか否かを判定する。暖房運転の停止指令があった場合（Ｓ６０４：Ｙｅｓ）、制御部１９の処理はステップＳ６０５に進む。一方、暖房運転の停止指令がない場合（Ｓ６０４：Ｎｏ）、制御部１９はステップＳ６０４の処理を繰り返しつつ、暖房運転を継続する。
【００８０】
ステップＳ６０５において制御部１９は、暖房運転を終了する。
ステップＳ６０６において制御部１９は、室外送風運転を開始する。つまり、制御部１９は、圧縮機１２を停止させた状態で室外ファン１６を駆動する。
ステップＳ６０７において制御部１９は、室外ファンモータ１６ｂの電流値Ｉを読み込む。
【００８１】
次に、図１４のステップＳ６０８において制御部１９は、室外ファンモータ１６ｂの電流値Ｉが、所定の正常範囲内であるか否かを判定する。室外ファンモータ１６ｂの電流値Ｉが正常範囲内である場合（Ｓ６０８：Ｙｅｓ）、制御部１９の処理はステップＳ６０９に進む。
ステップＳ６０９において制御部１９は、現時点では、室外熱交換器１５のメンテナンスを要しないと判定する。つまり、制御部１９は、室外熱交換器１５の洗浄等を行う必要はないと判定し、その旨を報知した後（Ｓ６１６）、室外送風運転を終了する（Ｓ６１７）。
【００８２】
一方、ステップＳ６０８において室外ファンモータ１６ｂの電流値Ｉが正常範囲外である場合（Ｓ６０８：Ｎｏ）、制御部１９の処理はステップＳ６１０に進む。
ステップＳ６１０において制御部１９は、ステップＳ６０２で読み込んだ外気温度の検出値Ｔが所定温度Ｔ１以下であるか否かを判定する。この所定温度Ｔ１（例えば、０℃）は、室外熱交換器１５のメンテナンスの要否判定を再び行うか否かの判定基準となる閾値であり、予め設定されている。なお、外気温度の検出値Ｔが所定温度Ｔ１以下のときには、場合によっては、積雪によって室外熱交換器１５に雪が降り積もっていることがある。
【００８３】
ステップＳ６１０において外気温度の検出値Ｔが所定温度Ｔ１よりも高い場合（Ｓ６１０：Ｎｏ）、制御部１９の処理はステップＳ６１１に進む。
ステップＳ６１１において制御部１９は、室外熱交換器１５のメンテナンスを要すると判定する。室外熱交換器１５に雪が降り積もっている可能性は低いからである。この場合において制御部１９は、メンテナンスを要する旨を報知した後（Ｓ６１６）、室外送風運転を終了する（Ｓ６１７）。
【００８４】
一方、ステップＳ６１０において外気温度の検出値Ｔが所定温度Ｔ１以下である場合（Ｓ６１０：Ｙｅｓ）、制御部１９の処理はステップＳ６１２に進む。
ステップＳ６１２において制御部１９は、室外送風運転をいったん終了する。
ステップＳ６１３において制御部１９は、除霜運転を実行する。すなわち、制御部１９は、室外送風運転中の電流値Ｉが正常範囲から外れた場合において（Ｓ６０８：Ｎｏ）、この室外送風運転の開始時の検出値Ｔが所定温度Ｔ１以下であったとき（Ｓ６１０：Ｙｅｓ）、除霜運転を実行する（Ｓ６１２）。これによって、室外熱交換器１５に雪が降り積もっていても、その雪を溶かすことができる。
【００８５】
ステップＳ６１４において制御部１９は、室外送風運転を再び開始する。
ステップＳ６１５において制御部１９は、メンテナンス要否判定処理を実行する。このメンテナンス要否判定処理は、第１実施形態（図６参照）で説明したステップＳ１０２〜１０５と同様の処理である。すなわち、制御部１９は、室外ファンモータ１６ｂの電流値Ｉに基づいて、メンテナンスの要否を判定する。このように、除霜運転後に（Ｓ６１３）、メンテナンス要否判定処理が行われる（Ｓ６１５）。これによって、室外熱交換器１５のメンテナンスの要否（目詰まりの有無等）を適切に判定できる。
【００８６】
ステップＳ６１６において制御部１９は、メンテナンスの要否を報知する。すなわち、制御部１９は、除霜運転（Ｓ６１３）を実行した後、室外送風運転を再び行い（Ｓ６１４）、さらに、この室外送風運転中の電流値Ｉが正常範囲から外れた場合（Ｓ６１５に含まれる図６のＳ１０３：Ｎｏ）、室外熱交換器１５のメンテナンスを要する旨を報知する（Ｓ６１６）。
そして、ステップＳ６１７において制御部１９は、室外送風運転を終了する。
【００８７】
＜効果＞
第６実施形態によれば、室外送風運転における電流値Ｉが、仮に正常範囲に含まれていなかった場合であっても（Ｓ６０８：Ｎｏ）、外気温度の検出値Ｔが所定温度Ｔ１以下である場合には（Ｓ６１０：Ｙｅｓ）、除霜運転が行われる（Ｓ６１３）。これによって、実際には室外熱交換器１５に目詰まりが生じていない状態でも、室外熱交換器１５に降り積もった雪の影響で、「室外熱交換器１５のメンテナンスを要する」との誤判定がなされることを防止できる。
【００８８】
また、除霜運転後にメンテナンス要否判定処理を行うことで（Ｓ６１３、Ｓ６１６）、室外熱交換器１５のメンテナンスの要否を適切に判定し、その旨をユーザ等に報知できる（Ｓ６１６）。
【００８９】
≪第７実施形態≫
第７実施形態は、前記した外気温度や電流値Ｉを、空気調和機１００（図１５参照）が空調管理装置３０に送信し、この空調管理装置３０がメンテナンス要否判定処理等を行う点が第２実施形態とは異なっている。なお、その他の点（空気調和機１００の構成等：図１〜図５参照）については、第２実施形態と同様である。したがって、第２実施形態とは異なる部分について説明し、重複する部分については説明を省略する。
【００９０】
図１５は、第７実施形態に係る空調システムＳＡの構成図である。
図１５に示すように、空調システムＳＡは、空気調和機１００と、空調管理装置３０と、を備えている。空気調和機１００は、第１実施形態で説明したものと同様の構成（図１〜図５参照）を備えている。
なお、図１５では、一つの空気調和機１００を図示しているが、空調管理装置３０との間で複数の空気調和機が情報をやり取りするようにしてもよい。
【００９１】
空調管理装置３０は、室外機１０の状態を遠隔監視する（つまり、空調管理を行う）装置である。図１５に示すように、空調管理装置３０は、通信部３１と、演算部３２と、記憶部３３と、を備えている。
【００９２】
通信部３１は、空気調和機１００との間で通信線Ｋ２を介して通信を行う。空気調和機１００から空調管理装置３０に送信されるデータには、空気調和機１００の識別情報、室外ファンモータ１６ｂの電流値Ｉを含む各検出値、及び、各検出値が検出された日時が含まれる。また、空調管理装置３０から空気調和機１００に送信されるデータには、空気調和機１００の識別情報、及び、室外熱交換器１５のメンテナンスの要否に関する情報が含まれている。なお、空調管理装置３０と空気調和機１００との間の通信は、有線通信であってもよいし、また、無線通信であってもよい。
【００９３】
演算部３２は、例えば、マイコンであり、図示はしないが、ＣＰＵ、ＲＯＭ、ＲＡＭ、各種インタフェース等の電子回路を含んで構成されている。そして、ＲＯＭに記憶されたプログラムを読み出してＲＡＭに展開し、ＣＰＵが各種処理を実行するようになっている。演算部３２は、通信部３１を介して受信した電流値Ｉに基づいて、室外熱交換器１５のメンテナンスの要否を判定したり、その判定結果をユーザ等に報知したりする機能を有している。
【００９４】
記憶部３３には、演算部３２が実行するプログラムの他、空気調和機１００の識別情報、室外ファンモータ１６ｂの電流値Ｉを含む各検出値が、日時情報に対応付けて格納されている。
【００９５】
図１６は、空調管理装置３０が実行する処理のフローチャートである（適宜、図１５を参照）。
ステップＳ７０１において空調管理装置３０は、通信部３１によって、空気調和機１００の検出値等を受信する。つまり、空調管理装置３０は、空気調和機１００との間で通信を行う「通信ステップ」を実行する。なお、ステップＳ７０１において空調管理装置３０が受信する検出値等には、室外送風運転時における室外ファンモータ１６ｂの電流値Ｉの他、この電流値Ｉが検出された日時に関する情報や、空気調和機１００の識別情報が含まれている。
【００９６】
ステップＳ１０２〜Ｓ１０５については、第２実施形態（図９参照）と同様である。すなわち、空調管理装置３０は、演算部３２によって、比率Ｉ／Ｉ０が所定の正常範囲に含まれているか否かに基づいて、室外熱交換器１５のメンテナンスの要否を判定する。
【００９７】
図１６のステップＳ７０２において空調管理装置３０は、室外熱交換器１５のメンテナンスの要否に関するデータを、通信部３１によって、空気調和機１００（又はユーザの端末：図示せず）に送信する。つまり、空調管理装置３０は、室外送風運転中の通風抵抗に基づいて、室外熱交換器１５のメンテナンスの要否を報知する「報知ステップ」を実行する。
【００９８】
なお、室外ファンモータ１６ｂの電流値Ｉの経時的変化や、室外熱交換器１５における目詰まり等の実際の状態に基づいて、空調管理装置３０が周知の「教師あり学習」を行い、その学習結果に基づいて「正常範囲」を設定するようにしてもよい。
【００９９】
＜効果＞
第７実施形態によれば、室外熱交換器１５のメンテナンスの要否を空調管理装置３０が行う構成であるため、個々の空気調和機１００の制御部１９が実行する処理を簡素化できる。したがって、制御部１９のプログラムの作成段階における手間を少なくし、ひいては、空気調和機１００の製造に要するコストを削減できる。
【０１００】
また、電流値Ｉ等のデータを空調管理装置３０の記憶部３３に格納し、このデータを用いて、メンテナンス要否判定処理の前段階として、複雑な学習処理を行うことが可能になる。
また、電流値Ｉ等のデータの長期間（例えば、数年間）に亘る経時的な変化を記憶部３３に格納することで、非常に緩やかに進行する電流値Ｉ等の変化を捉えることができる。そして、この電流値Ｉ等のデータを、空気調和機１００の保守等に用いることができる。
【０１０１】
≪第８実施形態≫
第８実施形態は、空気調和機２００（図１６参照）が、一台の壁掛型の室内機Ｇｉと、一台の室外機Ｇｏと、を備える点が第１実施形態とは異なっているが、その他（制御部１９が実行する処理等：図６参照）については、第１実施形態と同様である。したがって、第１実施形態とは異なる部分について説明し、重複する部分については説明を省略する。
【０１０２】
図１７は、第８実施形態に係る空気調和機２００の構成図である。
なお、図１７の実線矢印は、暖房運転時に冷媒が流れる向きを示している。また、図１７の破線矢印は、冷房運転時に冷媒が流れる向きを示している。
【０１０３】
図１７に示すように、空気調和機２００は、圧縮機４１と、室外ファン４２と、室外熱交換器４３と、四方弁４４と、膨張弁４５と、室内ファン４６と、室内熱交換器４７と、を備えている。
また、空気調和機２００は、前記した構成の他に、電流検出器５１や外気温度センサ５２を含む各種センサ、室外制御回路６１、及び室内制御回路６２を備えている。そして、圧縮機４１と、室外熱交換器４３と、膨張弁４５と、室内熱交換器４７と、が四方弁４４を介して環状に順次接続されてなる冷媒回路Ｑにおいて、ヒートポンプサイクルで冷媒が循環するようになっている。
【０１０４】
圧縮機４１は、ガス状の冷媒を圧縮する機器であり、圧縮機モータ４１ａを備えている。
室外ファン４２は、室外ファンモータ４２ａを備え、室外熱交換器４３の付近に設置されている。
室内ファン４６は、室内ファンモータ４６ａを備え、室内熱交換器４７の付近に設置されている。
【０１０５】
図１７に示す例では、圧縮機４１、室外ファン４２、室外熱交換器４３、四方弁４４、膨張弁４５、電流検出器５１、外気温度センサ５２、及び室外制御回路６１が、室外機Ｇｏに設置されている。また、室内ファン４６、室内熱交換器４７、及び室内制御回路６２が室内機Ｇｉに設置されている。
【０１０６】
なお、室外制御回路６１及び室内制御回路６２を含む「制御部６０」が実行する処理については、第１実施形態で説明した制御部１９（図５参照）が実行する処理（図６参照）と同様であるから、説明を省略する。
【０１０７】
＜効果＞
第８実施形態によれば、室外機Ｇｏ及び室内機Ｇｉを一台ずつ備える壁掛け型の空気調和機２００において、室外熱交換器４３のメンテナンスの要否を適切なタイミングで報知できる。
【０１０８】
≪変形例≫
以上、本発明に係る空気調和機１００，２００や空調システムＳＡについて、各実施形態により説明したが、本発明はこれらの記載に限定されるものではなく、種々の変更を行うことができる。
例えば、各実施形態では、室外ファンモータ１６ｂの電流値Ｉに基づいて、室外熱交換器１５のメンテナンスの要否が判定される例について説明したが、これに限らない。すなわち、室外ファンモータ１６ｂの電力値に基づいて、制御部１９が、室外熱交換器１５のメンテナンスの要否を判定するようにしてもよい。室外ファンモータ１６ｂに印加される電圧は略一定であることが多く、電流値（実効値）と電力値とが比例関係になるからである。
【０１０９】
また、例えば、室外ファンモータ１６ｂの電流値Ｉや、室外ファンモータ１６ｂの風量・圧力・軸動力の特性に基づいて、制御部１９が、室外熱交換器１５の通風抵抗の値を推定するようにしてもよい。そして、前記した通風抵抗の値が所定の正常範囲から外れている場合、室外熱交換器１５のメンテナンスを要する旨を制御部１９が報知するようにしてもよい。
また、例えば、室外機１０の所定箇所に圧力センサ（図示せず）を設置し、この圧力センサの検出値に基づいて、室外熱交換器１６の通風抵抗を算出するようにしてもよい。
【０１１０】
また、第１実施形態では、主制御回路１９ａ（図５参照）、圧縮機コントローラ１９ｂ、及びファンコントローラ１９ｃが個別の基板に実装される例について説明したが、これに限らない。すなわち、主制御回路１９ａ、圧縮機コントローラ１９ｂ、及びファンコントローラ１９ｃのうちの複数を一つの基板に実装してもよい。
また、第６実施形態では、暖房運転の開始時に外気温度を検出する処理（図１３のＳ６０２）について説明したが、これに限らない。例えば、制御部１９が、暖房運転の開始後であって、室外熱交換器１５のメンテナンスの要否を判定するまでの所定のタイミングで外気温度を読み込むようにしてもよい。
【０１１１】
また、第８実施形態では、室内機Ｇｉ及び室外機Ｇｏが一台ずつ設けられる構成について説明したが、これに限らない。すなわち、並列接続された複数台の室内機Ｇｉを設けてもよいし、また、並列接続された複数台の室外機Ｇｏを設けてもよい。
【０１１２】
また、各実施形態は、適宜組み合わせることができる。例えば、第４実施形態（図１１参照）と第５実施形態（図１２参照）とを組み合わせ、制御部１９が次の処理を実行するようにしてもよい。すなわち、制御部１９が、空調運転として暖房運転を行った後、室外熱交換器１５の除霜を行う除霜運転を実行し、その後の室外送風運転中の通風抵抗に基づいて、室外熱交換器１５のメンテナンスの要否を報知するようにしてもよい。これによって、室外熱交換器１５の目詰まりがない状態であるにもかかわらず、室外熱交換器１５に付着した霜の影響で「目詰まりしている」と誤判定されることを防止できる。
【０１１３】
また、例えば、第４実施形態（図１１参照）と第６実施形態（図１３、図１４参照）とを組み合わせ、制御部１９が次の処理を実行するようにしてもよい。すなわち、制御部１９が、暖房運転の開始に先立って室外送風運転を行い、室外送風運転中の電流値Ｉが正常範囲外にある場合には、制御部１９が、外気温度の検出値Ｔが所定温度Ｔ１以下であるか否かを判定するようにしてもよい。この場合において、外気温度の検出値Ｔが所定温度Ｔ１以下であるときには、制御部１９は、除霜運転を行った後、メンテナンス要否判定処理を実行する。
【０１１４】
その他、例えば、空調管理装置３０が室外熱交換器１５の要否を判定する第７実施形態と、第１、第３〜第６実施形態のいずれかと、を組み合わせることも可能である。
【０１１５】
また、各実施形態は本発明を分かりやすく説明するために詳細に記載したものであり、必ずしも説明した全ての構成を備えるものに限定されない。また、各実施形態の構成の一部について、他の構成の追加・削除・置換をすることが可能である。
また、前記した機構や構成は説明上必要と考えられるものを示しており、製品上必ずしも全ての機構や構成を示しているとは限らない。
【符号の説明】
【０１１６】
１００，２００  空気調和機
１０    室外機
１１    筐体
１２    圧縮機
１３    アキュムレータ
１４    電気品箱
１５    室外熱交換器
１６    室外ファン
１６ａ  ファン本体
１６ｂ  室外ファンモータ
１７    電流検出器
１８    外気温度センサ
１９    制御部
２１，２２，２３，２４    室内機
３０    空調管理装置
３１    通信部
３２    演算部
３３    記憶部
４１    圧縮機
４２    室外ファン
４２ａ  室外ファンモータ
４３    室外熱交換器
４４    四方弁
４５    膨張弁
４６    室内ファン
４６ａ  室内ファンモータ
４７    室内熱交換器
５１    電流検出器
５２    外気温度センサ
６０    制御部
Ｊ，Ｑ  冷媒回路
ＳＡ    空調システム
【図１】
2018128156.tif 000003
【図２】
2018128156.tif 000004
【図３】
2018128156.tif 000005
【図４】
2018128156.tif 000006
【図５】
2018128156.tif 000007
【図６】
2018128156.tif 000008
【図７】
2018128156.tif 000009
【図８】
2018128156.tif 000010
【図９】
2018128156.tif 000011
【図１０】
2018128156.tif 000012
【図１１】
2018128156.tif 000013
【図１２】
2018128156.tif 000014
【図１３】
2018128156.tif 000015
【図１４】
2018128156.tif 000016
【図１５】
2018128156.tif 000017
【図１６】
2018128156.tif 000018
【図１７】
2018128156.tif 000019